【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
第１のカテゴリに属する発話スタイルの発話の音声認識のために最適化された第１の音響モデル、及び第２のカテゴリに属する発話スタイルの発話の音声認識のために最適化された第２の音響モデルを記憶するための音響モデル記憶手段と、
与えられる複数の発話の各々について、所定の特徴量を抽出するための特徴量抽出手段と、
前記複数の発話の各々について、前記特徴量抽出手段により抽出された特徴量に対する最尤の音響モデルを前記第１及び第２の音響モデルに含まれるモデルの中から選択するための最尤モデル選択手段と、
前記最尤モデル選択手段により選択されたモデルの各々が属する音響モデルに対応する発話スタイルのカテゴリを決定するためのカテゴリ決定手段と、
前記カテゴリ決定手段により決定されたカテゴリを、前記複数の発話に対して統計処理するための統計処理手段と、
前記統計処理手段による統計処理の結果を出力するための出力手段とを含む、発話スタイル評価装置。
【請求項２】
前記統計処理手段は、前記複数の発話の合計数に対する、前記第２のカテゴリに属すると前記決定手段により決定された発話数の割合を算出するための手段を含む、請求項１に記載の発話スタイル評価装置。
【請求項３】
さらに、前記複数の発話のテキストを記憶するための発話テキスト記憶手段と、
前記発話テキスト記憶手段に記憶された前記複数の発話のテキストを所定の方法により決定される順番で選択し、被験者に提示するための発話テキスト提示手段と、
前記発話テキスト提示手段により被験者に発話のテキストが提示されるごとに、前記特徴量抽出手段、前記最尤モデル選択手段、及び前記カテゴリ決定手段を制御して、前記被験者の発話の属する発話カテゴリを決定するための制御手段とをさらに含む、請求項１又は請求項２に記載の発話スタイル評価装置。
【請求項４】
前記第１のカテゴリは自然発話である、請求項１〜請求項３のいずれかに記載の発話スタイル評価装置。
【請求項５】
前記第２のカテゴリは朗読発話である、請求項１〜請求項４のいずれかに記載の発話スタイル評価装置。
【請求項６】
それぞれ異なるカテゴリに属する発話スタイルの発話の音声認識のためにそれぞれ最適化された複数の音響モデルを記憶するための音響モデル記憶手段と、
与えられる複数の発話の各々について、所定の特徴量を抽出するための特徴量抽出手段と、
前記複数の発話の各々について、前記特徴量抽出手段により抽出された特徴量に対する最尤のモデルを前記複数の音響モデルに含まれるモデルの中から選択するための最尤モデル選択手段と、
前記最尤モデル選択手段により選択されたモデルの各々が属する音響モデルに対応する発話スタイルのカテゴリを決定するためのカテゴリ決定手段と、
前記カテゴリ決定手段により決定されたカテゴリを、前記複数の発話に対して統計処理することにより、前記複数の発話の発話カテゴリを分類するためのカテゴリ分類手段とを含む、発話スタイル分類装置。
【手続補正２】
【補正対象書類名】明細書
【補正対象項目名】００１７
【補正方法】変更
【補正の内容】
【００１７】
本発明の第２の局面に係る発話スタイル分類装置は、それぞれ異なるカテゴリに属する発話スタイルの発話の音声認識のためにそれぞれ最適化された複数の音響モデルを記憶するための音響モデル記憶手段と、与えられる複数の発話の各々について、所定の特徴量を抽出するための特徴量抽出手段と、複数の発話の各々について、特徴量抽出手段により抽出された特徴量に対する最尤のモデルを複数の音響モデルに含まれるモデルの中から選択するための最尤モデル選択手段と、最尤モデル選択手段により選択されたモデルの各々が属する音響モデル群に対応する発話スタイルのカテゴリを決定するためのカテゴリ決定手段と、カテゴリ決定手段により決定されたカテゴリを、複数の発話に対して統計処理することにより、複数の発話の発話カテゴリを分類するためのカテゴリ分類手段とを含む。
【手続補正３】
【補正対象書類名】明細書
【補正対象項目名】００３３
【補正方法】変更
【補正の内容】
【００３３】
図３を参照して、このコンピュータシステム３３０は、ＦＤ（フレキシブルディスク）ドライブ３５２およびＣＤ−ＲＯＭ（コンパクトディスク読出専用メモリ）ドライブ３５０を有するコンピュータ３４０と、キーボード３４６と、マウス３４８と、モニタ３４２と、マイクロフォン３７０と、スピーカ３７２とを含む。
【手続補正４】
【補正対象書類名】明細書
【補正対象項目名】００３４
【補正方法】変更
【補正の内容】
【００３４】
図４を参照して、コンピュータ３４０は、ＦＤドライブ３５２およびＣＤ−ＲＯＭドライブ３５０に加えて、ＣＰＵ（中央処理装置）３５６と、ＣＰＵ３５６、ＦＤドライブ３５２およびＣＤ−ＲＯＭドライブ３５０に接続されたバス３６６と、ブートアッププログラム等を記憶する読出専用メモリ（ＲＯＭ）３５８と、バス３６６に接続され、プログラム命令、システムプログラム、および作業データ等を記憶するランダムアクセスメモリ（ＲＡＭ）３６０とを含む。コンピュータシステム３３０はさらに、プリンタを含んでいる。
【手続補正５】
【補正対象書類名】明細書
【補正対象項目名】００３６
【補正方法】変更
【補正の内容】
【００３６】
コンピュータシステム３３０に上記した発話スタイル評価装置としての動作をさせるためのコンピュータプログラムは、ＣＤ−ＲＯＭドライブ３５０またはＦＤドライブ３５２に挿入されるＣＤ−ＲＯＭ３６２またはＦＤ３６４に記憶されており、その記憶内容はハードディスク３５４に転送される。または、プログラムは図示しないネットワークを通じてコンピュータ３４０に送信されハードディスク３５４に記憶されてもよい。プログラムは実行の際にＲＡＭ３６０にロードされる。なお、プログラムはハードディスク３５４を経由することなくＣＤ−ＲＯＭ３６２から、ＦＤ３６４から、またはネットワークを介して、直接にＲＡＭ３６０にロードされてもよい。
【手続補正６】
【補正対象書類名】明細書
【補正対象項目名】００３８
【補正方法】変更
【補正の内容】
【００３８】
図５は、図２に示す発話スタイル評価装置１００の各機能を、図３及び図４に示すコンピュータシステム３３０を用いて実現するためのコンピュータソフトウェアのフローチャートを示す。図５を参照して、この処理はステップ４００で始まり、ステップ４００では第１のカウンタ及び第２のカウンタの値Ｃ1及びＣ2にそれぞれ初期値として０を代入する。続いてステップ４０２で、以下の繰返しのための繰返し制御変数ｉに初期値０を代入する。
【手続補正７】
【補正対象書類名】明細書
【補正対象項目名】００４２
【補正方法】変更
【補正の内容】
【００４２】
ステップ４１６では、この最尤モデルが自然発話音響モデル１６２に属するモデルか否かを判定する。判定結果がＹＥＳであればステップ４１８でカウンタＣ1の値に１を加算する。さもなければステップ４２０でカウンタＣ2の値を１加算する。この後、処理はステップ４０４に戻り、変数ｉに１を加算して上述した処理を繰返す。
【手続補正８】
【補正対象書類名】明細書
【補正対象項目名】００５５
【補正方法】変更
【補正の内容】
【００５５】
上記した本発明の実施の形態は発話スタイルの評価装置に関するものであった。しかし本発明はそのような実施の形態に限定されるわけではない。例えば、実施の形態に係る発話スタイル評価装置１００は、被験者の発話を自然発話か朗読発話かの２つのカテゴリに分類する装置であると考えることもできる。同様の考え方により、例えば男声発話、及び女声発話という２つのカテゴリに被験者の発話スタイルを分類することもできる。分類可能なカテゴリの数が２つに限定されるわけではないこと、及び音響学的な特徴量で区別できるようなカテゴリであれば、どのような組合せに対しても上記した分類ができる可能性があること、等についてはいうまでもない。
【手続補正９】
【補正対象書類名】明細書
【補正対象項目名】００５７
【補正方法】変更
【補正の内容】
【００５７】
また、音響モデルのための音響特徴量として、本実施の形態ではＭＦＣＣを用いている。しかし使用可能な音響特徴量はＭＦＣＣに限定されない。例えばＤＭＦＣＣ（差分ＭＦＣＣ），ＬＰＣ（線形予測係数），ＲＡＳＴＡ、ＰＬＰ、聴覚モデルパラメータなど、種々の音響特徴量を用いることができる。